(57)【要約】【課題】  例えば合成を目的として撮影を行う場合において、カメラ位置（向き）や被写体の移動を最小限とし、手間を大幅に軽減する。【解決手段】  システムＲＯＭ１３２は、撮像デバイス１３９で撮像された画像データに対してデジタルズームを行う際のオートフォーカスエリアの座標とそのオートフォーカスエリアでの撮り込みエリアの座標とを対応付けた座標テーブルを記憶する。撮り込みエリアは、光軸中心でなく、オートフォーカスエリアを中心に該フォーカスエリアの位置に応じてスケーリングされている。画像処理制御部１３４は、撮影時のデジタルズームに応じて、座標テーブルの撮り込みエリアの座標に従って画像データを取り出すことでデジタルズームを実現する。【選択図】  図１
2006203396.tif 000002
【特許請求の範囲】
【請求項１】
撮像素子から任意に撮り込み範囲を設定する撮り込み範囲設定手段と、
ズーム操作手段と、
撮像指示手段と、
この撮像指示手段によって撮像が指示されると、前記ズーム操作手段によるズーム値に応じて、前記撮り込み範囲設定手段によって設定された範囲内の画像データを撮り込む画像データ撮り込み手段と
を具備することを特徴とする撮像装置。
【請求項２】
前記撮り込み範囲設定手段は、撮り込み範囲とともにズームの中心位置をさらに設定し、
前記ズーム操作手段は、前記撮り込み範囲設定手段によって設定された中心位置を基準として、ズーム値を操作することを特徴とする請求項１に記載の撮像装置。
【請求項３】
前記撮り込み範囲設定手段は、前記撮像素子から少なくとも２つ以上の撮り込み範囲を設定し、
各々の撮り込み範囲について前記画像データ撮り込み手段によって取り込まれた画像データを合成して一つの画像データとして保存する画像データ保存手段
をさらに備えることを特徴とする請求項１又は２に記載の撮像装置。
【請求項４】
撮像素子から任意に撮り込み範囲を設定する撮り込み範囲設定ステップと、
ズーム操作ステップと、
撮像指示ステップと、
この撮像指示ステップにて撮像が指示されると、前記ズーム操作ステップによるズーム値に応じて、前記撮り込み範囲設定ステップにて設定された範囲内の画像データを撮り込む画像データ撮り込みステップと
からなることを特徴とする撮像方法。
【請求項５】
前記撮り込み範囲設定ステップは、撮り込み範囲とともにズームの中心位置を更に設定し、
前記ズーム操作ステップは、前記撮り込み範囲設定ステップにて設定された中心位置を基準としてズーム値を操作することを特徴とする請求項４に記載の撮像方法。
【請求項６】
前記撮り込み範囲設定ステップは前記撮像素子から少なくとも２つ以上の撮り込み範囲を設定し、
各々の撮り込み範囲について前記画像データ撮り込みステップにて取り込まれた画像データを合成して一つの画像データとして保存する画像データ保存ステップ
をさらに含むことを特徴とする請求項４又は５に記載の撮像方法。
【請求項７】
撮像素子から任意に撮り込み範囲を設定する撮り込み範囲設定ステップと、
ズーム操作ステップと、
撮像指示ステップと、
この撮像指示ステップにて撮像が指示されると、前記ズーム操作ステップによるズーム値に応じて、前記撮り込み範囲設定ステップにて設定された範囲内の画像データを撮り込む画像データ撮り込みステップと
をコンピュータに実行させることを特徴とする撮像プログラム。
【発明の詳細な説明】
【技術分野】
【０００１】
本発明は、撮像装置、撮像方法および撮像プログラムに関する。
【背景技術】
【０００２】
近年、携帯電話は、撮影手段は当然のこと、ズーム機能を有する撮影手段を備えている。従来、一般に、ズーム機能は、ズームレンズにより光学的に行われるか、あるいは高解像度の撮像素子からのデジタル画像を光学系の光軸中心に再スケール化（デジタルズーム）することにより行われる。
【特許文献１】特開２００２−２９０８０８号公報（第４頁、図８）
【発明の開示】
【発明が解決しようとする課題】
【０００３】
ところで近年、撮像装置において画角を左右に２分割し、それぞれの分割部分で時間差をおいて被写体（人物像）を撮影して１つの画像を合成する機能を有するものがある。
【０００４】
しかしながらこのような機能においては、１回目の撮り込み処理の後、背景画像において不自然さが生じないようにズームを固定してしまうケースが殆どであり、２つの人物像を均等な大きさで撮影しようとすると、被写体となる人物が均等に画角に収まるように撮影者かもしくは被写体に動かなければならないという問題があった。
【０００５】
そこで本発明は、例えば合成を目的として撮影を行う場合において、カメラ位置（向き）や被写体の移動が最小限になり、手間を大幅に軽減することができる撮像装置、撮像方法および撮像プログラムを提供することを目的とする。
【課題を解決するための手段】
【０００６】
上記目的達成のため、請求項１記載の発明による撮像装置は、撮像素子から任意に撮り込み範囲を設定する撮り込み範囲設定手段と、ズーム操作手段と、撮像指示手段と、この撮像指示手段によって撮像が指示されると、前記ズーム操作手段によるズーム値に応じて、前記撮り込み範囲設定手段によって設定された範囲内の画像データを撮り込む画像データ撮り込み手段とを具備することを特徴とする。
【０００７】
また、好ましい態様として、例えば請求項２記載のように、請求項１記載の撮像装置において、前記撮り込み範囲設定手段は、撮り込み範囲とともにズームの中心位置をさらに設定し、前記ズーム操作手段は、前記撮り込み範囲設定手段によって設定された中心位置を基準として、ズーム値を操作するようにしてもよい。
【０００８】
また、好ましい態様として、例えば請求項３記載のように、請求項１又は２に記載の撮像装置において、前記撮り込み範囲設定手段は、前記撮像素子から少なくとも２つ以上の撮り込み範囲を設定し、各々の撮り込み範囲について前記画像データ撮り込み手段によって取り込まれた画像データを合成して一つの画像データとして保存する画像データ保存手段をさらに備えるようにしてもよい。
【０００９】
また、上記目的達成のため、請求項４記載の発明による撮像方法は、撮像素子から任意に撮り込み範囲を設定する撮り込み範囲設定ステップと、ズーム操作ステップと、撮像指示ステップと、この撮像指示ステップにて撮像が指示されると、前記ズーム操作ステップによるズーム値に応じて、前記撮り込み範囲設定ステップにて設定された範囲内の画像データを撮り込む画像データ撮り込みステップとからなることを特徴とする。
【００１０】
また、好ましい態様として、例えば請求項５記載のように、請求項４記載の撮像方法において、前記撮り込み範囲設定ステップは、撮り込み範囲とともにズームの中心位置を更に設定し、前記ズーム操作ステップは、前記撮り込み範囲設定ステップにて設定された中心位置を基準としてズーム値を操作するようにしてもよい。
【００１１】
また、好ましい態様として、例えば請求項６記載のように、請求項４又は５に記載の撮像方法において、前記撮り込み範囲設定ステップは前記撮像素子から少なくとも２つ以上の撮り込み範囲を設定し、各々の撮り込み範囲について前記画像データ撮り込みステップにて取り込まれた画像データを合成して一つの画像データとして保存する画像データ保存ステップをさらに含むようにしてもよい。
【００１２】
また、上記目的達成のため、請求項７記載の発明による撮像プログラムは、撮像素子から任意に撮り込み範囲を設定する撮り込み範囲設定ステップと、ズーム操作ステップと、撮像指示ステップと、この撮像指示ステップにて撮像が指示されると、前記ズーム操作ステップによるズーム値に応じて、前記撮り込み範囲設定ステップにて設定された範囲内の画像データを撮り込む画像データ撮り込みステップとをコンピュータに実行させることを特徴とする。
【発明の効果】
【００１３】
請求項１記載の発明によれば、撮像指示手段によって撮像が指示されると、画像データ撮り込み手段により、ズーム操作手段によるズーム値に応じて、撮り込み範囲設定手段によって設定された範囲内の画像データを撮り込むようにしたので、例えば合成を目的として撮影を行う場合において、カメラ位置（向き）や被写体の移動が最小限になり、手間を大幅に軽減することができるという利点が得られる。
【００１４】
また、請求項２記載の発明によれば、前記ズーム操作手段により、撮り込み範囲設定手段によって設定された中心位置を基準として、ズーム値を操作するようにしたので、例えば合成を目的として撮影を行う場合において、カメラ位置（向き）や被写体の移動が最小限になり、手間を大幅に軽減することができるという利点が得られる。
【００１５】
また、請求項３記載の発明によれば、前記撮り込み範囲設定手段により、前記撮像素子から少なくとも２つ以上の撮り込み範囲を設定し、画像データ保存手段により、各々の撮り込み範囲について前記画像データ撮り込み手段によって取り込まれた画像データを合成して一つの画像データとして保存するようにしたので、少なくとも２つ以上の撮り込み範囲で撮影した複数の画像データを合成する際に、カメラ位置（向き）や被写体の移動が最小限になり、手間を大幅に軽減することができるという利点が得られる。
【００１６】
また、請求項４記載の発明によれば、撮像指示ステップにて撮像が指示されると、画像データ撮り込みステップで、前記ズーム操作ステップによるズーム値に応じて、前記撮り込み範囲設定ステップにて設定された範囲内の画像データを撮り込むようにしたので、例えば合成を目的として撮影を行う場合において、カメラ位置（向き）や被写体の移動が最小限になり、手間を大幅に軽減することができるという利点が得られる。
【００１７】
また、請求項５記載によれば、前記撮り込み範囲設定ステップで、撮り込み範囲とともにズームの中心位置を更に設定し、前記ズーム操作ステップで、前記撮り込み範囲設定ステップにて設定された中心位置を基準としてズーム値を操作するようにしたので、例えば合成を目的として撮影を行う場合において、カメラ位置（向き）や被写体の移動が最小限になり、手間を大幅に軽減することができるという利点が得られる。
【００１８】
また、請求項６記載の発明によれば、前記撮り込み範囲設定ステップで、前記撮像素子から少なくとも２つ以上の撮り込み範囲を設定し、画像データ保存ステップで、各々の撮り込み範囲について前記画像データ撮り込みステップにて取り込まれた画像データを合成して一つの画像データとして保存するようにしたので、少なくとも２つ以上の撮り込み範囲で撮影した複数の画像データを合成する際に、カメラ位置（向き）や被写体の移動が最小限になり、手間を大幅に軽減することができるという利点が得られる。
【００１９】
また、請求項７記載の発明によれば、撮像素子から任意に撮り込み範囲を設定する撮り込み範囲設定ステップと、ズーム操作ステップと、撮像指示ステップと、この撮像指示ステップにて撮像が指示されると、前記ズーム操作ステップによるズーム値に応じて、前記撮り込み範囲設定ステップにて設定された範囲内の画像データを撮り込む画像データ撮り込みステップとをコンピュータに実行させるようにしたので、例えば合成を目的として撮影を行う場合において、カメラ位置（向き）や被写体の移動が最小限になり、手間を大幅に軽減することができるという利点が得られる。
【発明を実施するための最良の形態】
【００２０】
以下、本発明の実施の形態を携帯電話を例に図面を参照して説明する。
Ａ．実施形態の構成
図１は、本発明の実施形態による携帯電話の外観図（開状態：正面図および背面図）である。図において、携帯電話１は、蓋部２と本体部３とからなる二つ折り構造である。スピーカ１０１は、蓋部２の前面側に設けられており、電話モードにおける通話時には音声出力を行う。メイン表示部１０２は、カラー液晶であり、ＱＶＧＡの解像度を有し、撮像した画像、動画やダウンロードした画像、動画を表示可能となっている。アンテナ１０３は、蓋部２の背面に設けられており、伸縮自在となっている。
【００２１】
カメラキー１０４は、電源オン状態におけるカメラモードへの移行、後述する撮像デバイス１３０、ＤＳＰ１２９の起動を指示するためのキーである。メールキー１０５は、メールモードへの移行、メールプログラムのロードを指示するためのキーである。十字キー１０６は、カーソルの移動、フォーカス（選択）の移動、ズーム値を指示するためのキーである。決定キー１０７は、モード選択を決定したり、選択を決定したり、撮像を指示するためのキーである。アドレスキー１０８は、アドレス帳データを表示するためのキーである。ネット接続キー１０９は、インターネットへ接続するためのキーである。
【００２２】
クリアキー１１０は、選択などをキャンセルするためのキーである。オンフックキー１１１は、回線を接続するためのキーである。オフフックキー１１２は、電話モード／カメラモード兼用電源オフキー、電話モード立ち上げ用電源オンキー、回線を切断するためのキーである。テンキー１１３は、文字入力やダイアル入力を行うためのキーである。マイク１１４は、本体部３の下部に設けられており、通話時における音声入力を行う。
【００２３】
サブ表示部１１６は、蓋部２の背面に設けられており、携帯電話１が閉じられた状態において、日時表示や、着信報知、メール着信報知、静止画や動画撮影時の補助画面などに用いられる。撮像レンズ１１８は、蓋部２の背面、上記サブ表示部１１６の上部に設けられており、静止画や動画を撮影する。フラッシュ用ＬＥＤ１１９は、静止画や動画撮影時に点灯し、露出不足を防止する。
【００２４】
次に、図２は、上述した携帯電話１の構成を示すブロック図である。図において、無線送受信部１３０は、無線によりアンテナ１０３を介して音声やデータ（メールデータ）を送受し変調／復調するなど、ＰＳＫ方式に基づく変復調、ＣＤＭＡ方式に基づく端末認証処理を含む通信処理を行う。
【００２５】
通信制御部１３１は、ＷＷＷ接続制御を含む当該機器を制御する。通信データ処理部１３１１は、ＣＬＥＰ系音声復号処理回路、パケットデータ生成回路、およびパケットデータ復元回路を含み、通信プロトコルに沿ったデータ処理を行う。オーディオインターフェース１３１２は、通信データ処理部１３１１で処理される音声信号の入出力処理を行い、マイク１１４からの音声を入力して音声信号に変換して、音声信号をスピーカ１０１から出力する。
【００２６】
システムＲＯＭ１３２は、主に無線通信処理全般を制御するための基本ＯＳやプロトコルプログラムを格納するプロトコル・プログラムエリアからなる。特に、本実施形態では、システムＲＯＭ１３２には、撮像デバイス１３９で撮像された画像データに対してデジタルズームを行う際の撮像デバイスにおけるオートフォーカスエリアの座標とそのオートフォーカスエリアでの撮り込みエリアの座標とを対応付けた座標テーブルが記憶されている。該座標テーブルの詳細については後述する。
【００２７】
ＲＡＭ１３３は、通信処理に関連するドライバやワークエリアからなる。画像処理制御部１３４は、撮影時または再生時における動画／静止画に対する、ＭＰＥＧ（ＭＰＥＧ４）／ＪＰＥＧエンコードおよびデコード処理やデジタルズームにおける画像データの撮り込み処理などを行う。すなわち、画像処理制御部１３４は、上述したシステムＲＯＭ１３２に記憶されている座標テーブルを参照して撮影時のデジタルズームに応じた撮り込みエリアの座標に従って、ＲＡＭ１５０から画像データを取り出すことでデジタルズームを実現する。
【００２８】
ＲＡＭ１３５は、アプリケーションヒープ（システムリソース領域）等を有するワークエリア、ユーザデータなどを格納するバックアップエリア、ファイルシステムを格納するシステム管理エリア、キャッシュメモリエリア、その他のエリアからなる。プログラムＲＯＭ１３６は、書き換え可能なＦｌａｓｈ  ＲＯＭで構成され、画像・イラスト・フォントなどを格納するデータエリア、ユーザデータ管理データやファイルシステム管理データなどを格納するファイルシステムエリア、データやプログラムなどを格納する辞書エリア、ＵＩプログラムエリアからなる。
【００２９】
表示モジュール系ドライバ１３７は、表示バッファを含み、サブ表示部１１６、メイン表示部１０２、フラッシュ用ＬＥＤ１１９を駆動させる。ステップモータ１３８は、撮像レンズ１１８のズーム制御を行う。撮像デバイス１３９は、有効画素２００万画素相当のＣＣＤ、若しくはＣＭＯＳで構成され、撮像レンズ１１８により集束された映像をカラー画像として撮り込み、Ａ／Ｄ変換を行ってカメラ内信号処理部１４０のＲＡＭ１５０に順次出力する。ＤＳＰ１５１は、カメラ内信号処理部１４０に含まれており、撮像デバイス１３９にて撮り込まれ、ＲＡＭ１５０に記憶された撮像データを読み出す。
【００３０】
音源ＩＣ１４２は、着信音などを生成する。アンプ１４３は、音源ＩＣ１４２からの音声信号を増幅し、報知スピーカ１２０から出力する。コネクタ１４４は、外部記録媒体（例えばｍｉｎｉＳＤカードなど）１４５を装着する。外部インターフェースコントローラ１４６は、ＵＳＢインターフェース、１８芯コネクタの両方のインターフェースを切り替え、外部機器との間でデータの送受信を制御する。ユーザメモリ１４９は、ダウンロードしたデータや、撮影した画像データ、動画ファイル、メールデータ、アドレス帳データなどを格納するデータエリア、リードオンリエリア、ファイルシステム管理データからなる。アドレスデータバス処理部１４８は、通信制御部１３１、画像処理制御部１３４のアドレス制御、バスのデータの流れを制御する。
【００３１】
次に、図３は、上述した座標テーブルのデータ構造を示す概念図である。図において、座標テーブル１３２１は、撮影モード１３２２毎に、オートフォーカスエリアの座標（複数）１３２３と、該オートフォーカスエリアでオートフォーカシングする場合にズームエリア（撮り込みエリア）を特定するための撮り込みエリアの座標１３２４とを対応付けて記憶している。本実施形態による携帯電話１では、撮像される画角内に複数のオートフォーカスエリアが設けられている。オートフォーカスエリアの位置、個数は、撮影モードによって固定であったり（固定）、複数のオートフォーカスエリアから少なくとも１つ以上を自動的に設定したり（自動設定）、あるいは任意の位置に設定したりすることが可能となっている。また、オートフォーカスエリアの座標（最大値）は、ワイド側ズーム操作時に、撮像デバイス（ＣＣＤ）１３９の有効が素範囲を超えないように規制されるようになっている。
【００３２】
例えば、撮影条件の全てを自動的に決める自動撮影モードでは、画角内の中心に１点、あるいは中心およびその左右を含め３点以上のオートフォーカスエリアが設定されている。また、撮影状況に応じて予めプリセットされた複数の撮影モード（例えば、後述する合成撮影など）では、被写体の位置に合わせて光軸から左右にずれた位置に２点のオートフォーカスエリアが設定されている。オートフォーカスエリアの座標１３２３は、撮像デバイス１３９の撮像画素における座標（略中心が原点）である。また、撮り込みエリアの座標１３２４は、上記オートフォーカスエリアに対して、ユーザのズーム操作によるズームに応じて撮り込むべき領域を示す、撮像デバイス１３９の撮像画素における座標である。
【００３３】
ここで、図４および図５は、上述した合成撮影モードの１つである、画角を左右に２分割し、それぞれの分割部分で時間差をおいて被写体を撮影して１つの画像を合成する撮影モードＭＯＤＥ１（図３参照）でのオートフォーカスエリアとデジタルズームによる撮り込みエリアとを説明するための概念図である。この撮影モードＭＯＤＥ１は、撮像デバイス１３９の左半分のみを１回目の撮影データとし、時間をおいて右半分のみを２回目の撮影データとして撮影するものである。
【００３４】
図４（ａ）には、撮像デバイス１３９の左半分に設定したオートフォーカスエリアと、該左半分のみを１回目の撮影データとして撮り込む際のテレ側ズームに応じた撮り込みエリアとが示されている。また、図４（ｂ）には、撮像デバイス１３９の左半分に設定したオートフォーカスエリアと、該左半分のみを１回目の撮影データとして撮り込む際のワイド側ズームに応じた撮り込みエリアとが示されている。図において、実線の枠ＦＬは、通常位置（標準倍率×１）の撮り込みエリアを示している。なお、右半分の斜線部分は、撮影時には、半透過マスクとして表示部１０２に表示され、撮像データとしては撮り込まれない。
【００３５】
同様に、図５（ａ）には、撮像デバイス１３９の右半分に設定したオートフォーカスエリアと、該右半分のみを２回目の撮影データとして撮り込む際のテレ側ズームに応じた撮り込みエリアとが示されている。また、図５（ｂ）には、撮像デバイス１３９の右半分に設定したオートフォーカスエリアと、該右半分のみを２回目の撮影データとして撮り込む際のワイド側ズームに応じた撮り込みエリアとが示されている。図において、実線の枠ＦＬは、上述したように、通常位置（標準倍率×１）の撮り込みエリアを示している。なお、右半分の斜線部分は、撮影時には、半透過マスクとして１回目の撮像データが表示され、当該撮影では撮像データとして撮り込まれない。
【００３６】
図示するように、本実施形態では、ワイド側ズームおよびテレ側ズームとも、光軸を中心に上下左右に均等にデジタルズームするのではなく、オートフォーカスエリアを中心に、該フォーカスエリアの位置に応じてスケーリングされた撮り込みエリアから画像データを撮り込むことでデジタルズームするようになっている。図４（ａ）、（ｂ）に示す例では、画角の左側に位置するオートフォーカスエリアにおいて、オートフォーカスエリアに近い左側でのズーム率に対して、オートフォーカスエリアから遠い右側および上下でのズーム率が大きくなるようにスケーリングしている。また、図５（ａ）、（ｂ）に示す例では、画角の右側に位置するオートフォーカスエリアにおいて、オートフォーカスエリアに近い右側でのズーム率に対して、オートフォーカスエリアから遠い左側および上下でのズーム率が大きくなるようにスケーリングしている。これにより、ワイド側ズームおよびテレ側ズームのいずれの場合であっても、撮影画像（特に、被写体）に対するオートフォーカスエリアの位置ずれが少なくて済み、カメラ位置（向き）や被写体の移動が最小限になり、手間を大幅に軽減することが可能となる。
【００３７】
Ｂ．実施形態の動作
次に、上述した実施形態の動作について説明する。ここで、図６ないし図８は、本実施形態による携帯電話１の動作を説明するためのフローチャートである。また、図９は、本実施形態による携帯電話１の合成撮影モードＭＯＤＥ１での撮影動作を説明するための模式図である。
【００３８】
まず、電源オン操作があると、撮影モードであるか否かを判断し（ステップＳ１０）、撮影モードでなければ、動作モードに応じた処理へ進む。一方、撮影モードである場合には、十字キー１０６の上下方向の操作を検出することによって、ズームレンズを駆動し、通常位置（標準倍率×１）に設定する（ステップＳ１２）。次に、１枚目の画角、フォーカスエリアを設定し（ステップＳ１４）、表示部１０２にスルー画像を表示する（ステップＳ１６）。この様子は、例えば、図９（ｂ）に示すような表示状態となる。１枚目の場合、右半分が半透過でマスクされるので、被写体（この場合、人物）が左半分に入り、オートフォーカスエリアが被写体の顔付近に位置するようにカメラの向きを調整する。
【００３９】
次に、ズーム操作が行われたか否かを判断する（ステップＳ１８）。そして、ズーム操作が行われた場合には、座標テーブル１３２１から撮影モードに応じたオートフォーカスエリアの座標１３２３と該オートフォーカスエリアに対する撮り込みエリアの座標１３２４とを読み込み、該撮り込みエリアの座標１３２４とワイド／テレ側のズーム操作とに従ってモータ１３８を制御してズーム駆動し、入力画像を表示部１０２に表示する（ステップＳ２０）。すなわち、ワイド／テレ側のズーム操作に応じて、図４（ａ）または図４（ｂ）に示すように、オートフォーカスエリアから遠い右側および上下でのズーム率が大きくなるように、撮り込みエリアを変化させる。
【００４０】
この様子は、例えば、図９（ａ）、（ｂ）、（ｃ）に示すような表示状態となる。すなわち、図９（ｂ）を標準倍率とした場合、テレ側にズーム操作が行われると、図９（ａ）に示す状態になる一方、ワイド側にズーム操作が行われると、図９（ｃ）に示す状態になる。
【００４１】
次に、ズーム操作の有無に関わらず、シャッターの半押しがあったか否かを判断し（ステップＳ２２）、シャッターの半押しがない場合には、ステップＳ１６へ戻り、スルー画像の表示へ戻る。一方、シャッターの半押しがあった場合には、レンズを駆動し、オートフォーカスエリアで合焦処理し、入力画像を表示部１０２に表示する（ステップＳ２４）。次に、シャッターの全押しがあったか否かを判断し（ステップＳ２６）、シャッターの全押しがない場合には、ステップＳ２２へ戻り、合焦を固定した状態を維持する。
【００４２】
一方、シャッターの全押しがあった場合には、露出／シャッター速度／フラッシュ発光等を自動制御して１枚目（左半分）を撮影する（ステップＳ２８）。次に、撮影画像をＲＡＭ１５０に記録し、そのときの撮り込みエリア内の画像を表示部１０２に表示する（ステップＳ３０）。
【００４３】
次に、２枚目の画角、フォーカスエリアを設定し（ステップＳ３２）、表示部１０２にスルー画像を表示する（ステップＳ３４）。この様子は、例えば、図９（ｅ）に示すような表示状態となる。２枚目の場合、左半分に１回目に撮影した画像が半透過でマスクされた状態で表示されるので、１回目の画像（被写体の大きさや、背景など）を考慮しながら、右半分に２回目の被写体（通常、１回目の撮影者など、１回目とは違う人物）が入るようにして、オートフォーカスエリアが被写体の顔付近に位置するようにカメラの向きを調整する。
【００４４】
次に、ズーム操作が行われたか否かを判断する（ステップＳ３６）。そして、ズーム操作が行われた場合には、座標テーブル１３２１から撮影モードに応じたオートフォーカスエリアの座標１３２３と該オートフォーカスエリアに対する撮り込みエリアの座標１３２４とを読み込み、該撮り込みエリアの座標１３２４とワイド／テレ側のズーム操作とに従ってモータ１３８を制御してズーム駆動し、入力画像を表示部１０２に表示する（ステップＳ４０）。すなわち、ワイド／テレ側のズーム操作に応じて、図５（ａ）または図５（ｂ）に示すように、オートフォーカスエリアから遠い左側および上下でのズーム率が大きくなるように、撮り込みエリアを変化させる。
【００４５】
この様子は、例えば、図９（ｄ）、（ｅ）、（ｆ）に示すような表示状態となる。すなわち、図９（ｅ）を標準倍率とした場合、テレ側にズーム操作が行われると、図９（ｄ）に示す状態になる一方、ワイド側にズーム操作が行われると、図９（ｆ）に示す状態になる。
【００４６】
次に、ズーム操作の有無に関わらず、シャッターの半押しがあったか否かを判断し（ステップＳ４２）、シャッターの半押しがない場合には、ステップＳ３４へ戻り、スルー画像の表示へ戻る。一方、シャッターの半押しがあった場合には、レンズを駆動し、オートフォーカスエリアで合焦処理し、入力画像を表示部１０２に表示する（ステップＳ４４）。次に、シャッターの全押しがあったか否かを判断し（ステップＳ４６）、シャッターの全押しがない場合には、ステップＳ４２へ戻り、合焦を固定した状態を維持する。
【００４７】
一方、シャッターの全押しがあった場合には、露出／シャッター速度／フラッシュ発光等を自動制御して撮影する（ステップＳ４８）。次に、撮影画像をＲＡＭ１５０に記録する（ステップＳ５０）。次に、図９（ｇ）に示すように、１回目と２回目に撮影した画像データを合成して表示部１０２に表示し（ステップＳ５２）、ユーザに該合成画像データを記録するか否かを問い合わせる（ステップＳ５４）。そして、ユーザが破棄することを選択した場合には、ＲＡＭ１５０（バッファメモリ）をクリアしてステップＳ１２へ戻り、上述した処理を繰り返す。
【００４８】
一方、ユーザが記録することを選択した場合には、ＲＡＭ１５０（バッファメモリ）の撮影画像データに対して符号化／変換／圧縮処理を行い（ステップＳ５８）、該符号化／変換／圧縮処理した画像データをユーザメモリ１４９に保存して当該処理を終了する（ステップＳ６０）。
【００４９】
なお、上述した実施形態においては、オートフォーカスエリアの画角に対する位置は、撮影モードに応じて予め固定されていたが、ユーザの指示操作で任意の位置に設定されてよいし、あるいはシャッターの半押し等で、そのときの画像から自動的に設定されるようにしてもよい。オートフォーカスの位置を自動的に設定する方法としては、例えば、焦点距離から最も近い場所に居るものを被写体として認知するという周知の技術を用いればよい。そして、設定されたフォーカスエリアの画角内の位置を一時的に記憶し、ズーム操作が行われると、該記憶されたフォーカスエリアの画角内の位置に従って、ズーム操作に応じて撮り込みエリアを設定するようにしてもよい。
また、上述した実施形態では、左右方向での合成処理についてのみ説明したが、これに限らず、上下方向での合成、左上−右下方向での合成などの撮影モードを有していてもよい。この場合、上述した実施形態と同様、図３に示す座標テーブルにオートフォーカスエリアの座標および撮り込みエリアの座標を記憶しておけばよい。
【図面の簡単な説明】
【００５０】
【図１】本発明の実施形態による携帯電話１の外観図（開状態：正面図および背面図）である。
【図２】本実施形態による携帯電話１の構成を示すブロック図である。
【図３】本実施形態による携帯電話１の座標テーブルのデータ構造を示す概念図である。
【図４】本実施形態による携帯電話１の１回目の撮影におけるオートフォーカスエリアとデジタルズームによる撮り込みエリアとを説明するための概念図である。
【図５】本実施形態による携帯電話１の２回目の撮影におけるオートフォーカスエリアとデジタルズームによる撮り込みエリアとを説明するための概念図である。
【図６】本実施形態による携帯電話１の動作を説明するためのフローチャートである。
【図７】本実施形態による携帯電話１の動作を説明するためのフローチャートである。
【図８】本実施形態による携帯電話１の動作を説明するためのフローチャートである。
【図９】本実施形態による携帯電話１の合成撮影モードＭＯＤＥ１での撮影動作を説明するための模式図である。
【符号の説明】
【００５１】
１  携帯電話（撮像装置）
２  蓋部
３  本体部
１０１  スピーカ
１０２  メイン表示部
１０３  アンテナ
１０４  カメラキー
１０５  メールキー
１０６  十字キー（ズーム操作手段）
１０７  決定キー（撮像指示手段）
１０８  アドレスキー
１０９  ネット接続キー
１１０  クリアキー
１１１  オンフックキー
１１２  オフフックキー
１１３  テンキー
１１４  マイク
１１６  サブ表示部
１１８  撮像レンズ
１１９  フラッシュ用ＬＥＤ
１３０  無線送受信部
１３１  通信制御部
１３１１  通信データ処理部
１３１２  オーディオインターフェース
１３２  システムＲＯＭ（撮り込み範囲設定手段）
１３３  ＲＡＭ
１３４  画像処理制御部（画像データ撮り込み手段、画像データ保存手段）
１３４１  カメラ・インターフェース
１３５  ＲＡＭ
１３６  プログラムＲＯＭ
１３７  表示モジュール系ドライバ
１３８  ステップモータ
１３９  撮像デバイス（撮像素子）
１４０  カメラ内信号処理部
１４２  音源ＩＣ
１４３  アンプ
１４４  コネクタ
１４５  外部記録媒体
１４６  外部インターフェースコントローラ
１４８  アドレスデータバス処理部
１４９  ユーザメモリ
１５０  ＲＡＭ
１５１  ＤＳＰ
１３２１  座標テーブル（撮り込み範囲設定手段）
【図１】
2006203396.tif 000003
【図２】
2006203396.tif 000004
【図３】
2006203396.tif 000005
【図４】
2006203396.tif 000006
【図５】
2006203396.tif 000007
【図６】
2006203396.tif 000008
【図７】
2006203396.tif 000009
【図８】
2006203396.tif 000010
【図９】
2006203396.tif 000011